(57)【要約】【課題】本発明は、遊技球によって揺動動作が阻止されることがなく、より確実に遊技球の詰まりを防止することができる詰まり防止部材、並びに、球補給装置を提供することを課題とする。【解決手段】球補給装置１は、ぱちんこ機が複数台設置された遊技機島に設けられ、その遊技機島の内部に配される遊技球用の搬送路の一部を形成するものであり、主たる構成として、流路形成部材２と、詰まり防止部材３を備えている。流路形成部材２には、遊技球が通過する整列流路１１が設けられている。詰まり防止部材３は、流路形成部材２の整列流路１１上に設けられ、複数の板片２１と、その板片２１を揺動可能に支持する軸部材２２とで構成されている。各板片２１は、整列流路１１の流路の流れ方向に沿って、個々に揺動可能である。【選択図】図４
2015016092.tif 000002
【特許請求の範囲】
【請求項１】
遊技球を用いて遊技する遊技機が複数台設置された遊技場に設けられ、遊技球が流れる流路上に配される詰まり防止部材であって、
複数の板片と、軸部材を有し、
複数の板片は、軸部材によって揺動可能に軸支されるものであり、
流路上においては、軸部材は、その軸線方向を、遊技球の流れ方向に交差する方向に向けて配され、各板片は、当該軸部材の軸線方向に沿って並列的に配されることを特徴とする詰まり防止部材。
【請求項２】
軸部材によって軸支された各板片は、少なくとも下方の縁端が曲線状を呈していることを特徴とする請求項１に記載の詰まり防止部材。
【請求項３】
軸部材によって軸支された各板片のうち、当該軸部材の軸線方向に沿った中央側に位置する板片は、当該軸線方向に沿った端部側に位置する板片よりも比重が小さいことを特徴とする請求項１又は２に記載の詰まり防止部材。
【請求項４】
軸部材によって軸支された各板片のうち、当該軸部材の軸線方向に沿った中央側に位置する板片は、当該軸線方向に沿った端部側に位置する板片よりも軸線方向に沿った部材長さが長いことを特徴とする請求項１〜３のいずれかに記載の詰まり防止部材。
【請求項５】
遊技球を用いて遊技する遊技機が複数台並設された遊技機島に設けられ、遊技機の並設方向に流通する遊技球を、各遊技機に向けて下方に流す球補給装置であって、
遊技球が流通する流路形成部を有し、当該流路形成部の中途に、請求項１〜４のいずれかに記載の詰まり防止部材が設置されていることを特徴とする球補給装置。
【発明の詳細な説明】
【技術分野】
【０００１】
本発明は、遊技場に設置された遊技機島内を循環する遊技球の詰まりを防止する詰まり防止装置に関するものである。また、本発明は、遊技機に遊技球を供給する球補給流路の一部を形成する球補給装置に関するものである。
【背景技術】
【０００２】
ぱちんこ機やスロット機等の遊技機が設置された遊技場では、遊技者が滞りなく遊技が行えるように、各遊技機に対して、遊技球やメダル等の遊技媒体を円滑に供給する必要がある。そのため、従来より、各遊技機に遊技媒体を供給する流路が、遊技球を詰まらせない構造となっている。
【０００３】
例えば、ぱちんこ機が設置された遊技機島（以下、ぱちんこ島という）では、ぱちんこ機に至るまでの流路に、球補給装置（所謂補給シュート）が設けられ、当該補給シュートにおいて、遊技球を１列に整列させている。この種の補給シュートは、「球均し部材（詰まり防止部材）」なるものが具備されており、当該「球均し部材」の作用によって、遊技球を整列させている。すなわち、「球均し部材」は、遊技球が補給シュート内を流れる際の振動や接触等によって揺動するものであり、その揺動作用によって、複数の遊技球が団子状に積み重なって形成される（ブリッジ構造）球詰まりの発生を防止している。
例えば、そのような機能を具備した補給シュートが、特許文献１に開示されている。
【０００４】
すなわち、この種の補給シュートを用いれば、多量の遊技球が上流側から流れて来たとしても、当該補給シュートによって遊技球を１列に整列させることができるため、遊技機に対して好適に遊技球を補給することができる。
【先行技術文献】
【特許文献】
【０００５】
【特許文献１】特開２０１２−１５７４６１号公報
【発明の概要】
【発明が解決しようとする課題】
【０００６】
しかしながら、従来の「球均し部材」は、単純な軌跡を描く揺動動作を行うため、当該揺動動作のタイミングと、遊技球の通過のタイミングによっては、通過する遊技球が揺動動作を阻止し、詰まり防止機能を不十分にしてしまう場合があった。つまり、従来の補給シュートにおいては、「球均し部材」を具備しているにも関わらず、遊技球がブリッジ構造を形成してしまう不満があった。
【０００７】
そこで、本発明では、従来技術の問題点に鑑み、遊技球によって揺動動作が阻止されることがなく、より確実に遊技球の詰まりを防止することができる詰まり防止部材、並びに、球補給装置を提供することを課題とする。
【課題を解決するための手段】
【０００８】
上記課題を解決するための請求項１に記載の発明は、遊技球を用いて遊技する遊技球が複数台設置された遊技場に設けられ、遊技機が流れる流路上に配される詰まり防止部材であって、複数の板片と、軸部材を有し、複数の板片は、軸部材によって各々が揺動可能に軸支されるものであり、流路上においては、軸部材は、その軸線方向を、遊技球の流れ方向に交差する方向に向けて配され、各板片は、当該軸部材の軸線方向に沿って並列的に配されることを特徴とする詰まり防止部材である。
【０００９】
本発明の詰まり防止部材は、複数の板片を、軸部材の軸線方向に沿って並列的に並べて軸支させている。そして、軸支された板片のそれぞれが、軸部材に対して、揺動可能な機能を有している。すなわち、本発明では、１つずつの板片が単純な揺動動作を行ったとしても、各板片の揺動動作のタイミングや動作方向等が個々に異なるため、板片全体としては複雑な動作が行われる。例えば、本発明によれば、遊技球が流れる流路上において、１つの板片が流路の下流に向けて揺動し、別の１つの板片が流路の上流に向けて揺動するといった状況が起こり得る。一方、全ての板片が、同一のタイミングで揺動動作を行い、同一の姿勢をとるような状況が発生する可能性は限りなく低いと言える。つまり、本発明の詰まり防止部材が、遊技球が流れる流路上に配された状況下においては、各板片はばらばらに揺動するため、板片全体の揺動動作が複雑化する。そのため、流路を通過する遊技球が、その揺動動作を阻止する可能性が低くなる。したがって、本発明では、従来のように、揺動する板片があるにも関わらず、複数の遊技球が「ブリッジ構造」を形成してしまう、といった状況は発生する可能性は殆どない。
【００１０】
請求項２に記載の発明は、軸部材によって軸支された板片は、少なくとも下方の縁端が曲線状を呈していることを特徴とする請求項１に記載の詰まり防止部材である。
【００１１】
かかる構成によれば、板片の下方の縁端が、曲線状に成形されているため、流路上を流れる遊技球が板片の縁端に衝突したとしても、遊技球が板片の縁端に引っ掛かることがない。つまり、本発明では、板片の形状に起因して、流路上において球詰まりを起こす可能性が低い。
【００１２】
請求項３に記載の発明は、軸部材によって軸支された各板片のうち、当該軸部材の軸線方向に沿った中央側に位置する板片は、当該軸線方向に沿った端部側に位置する板片よりも比重が小さいことを特徴とする請求項１又は２に記載の詰まり防止部材である。
【００１３】
かかる構成によれば、軸部材の端部側に配された板片の方が、中央側に配された板片よりも比重が大きいため、板片全体をより不規則に揺動させることができる。より詳細には、比重が大きい板片ほど、立体的に揺動し、比重が小さい板片ほど、他の板片の動きに追従する。その結果、板片の揺動動作が、流路を通過する遊技球によって阻止される可能性が低くなるため、流路に遊技球による「ブリッジ構造」が形成されることが殆どなくなる。
【００１４】
本発明の詰まり防止部材は、軸部材によって軸支された各板片のうち、当該軸部材の軸線方向に沿った中央側に位置する板片は、当該軸線方向に沿った端部側に位置する板片よりも軸線方向に沿った部材長さが長いことが推奨される。（請求項４）
【００１５】
請求項５に記載の発明は、遊技球を用いて遊技する遊技機が複数台並設された遊技機島に設けられ、遊技機の並設方向に流通する遊技球を、各遊技機に向けて下方に流す球補給装置であって、遊技球が流通する流路形成部を有し、当該流路形成部の中途に、請求項１〜４のいずれかに記載の詰まり防止部材が設置されていることを特徴とする球補給装置である。
【００１６】
本発明の球補給装置は、軸支された複数の板片のそれぞれが、軸部材に対して、個々に揺動可能であるため、それぞれの板片が単純な揺動動作を行ったとしても、各板片の揺動動作のタイミングや動作方向等が一致することは殆どないため、板片全体としては複雑な動作となる。つまり、本発明の球補給装置は、板片全体の揺動動作を複雑化させることができるため、遊技球が板片の揺動動作を阻止するようなことは起こり得ず、従来のように、揺動する板片があるにも関わらず、複数の遊技球が「ブリッジ構造」を形成してしまう、といった状況の発生を軽減することができる。
【発明の効果】
【００１７】
本発明の詰まり防止部材、並びに、球補給装置は、軸部材に複数の板片を軸線方向に沿って並列に軸支しているため、板片全体の揺動動作が複雑化し、より効果的に球詰まりを防止することができる。
【図面の簡単な説明】
【００１８】
【図１】本発明の実施形態に係る球補給装置を備えた遊技機島の内部を正面から見た説明図である。
【図２】図１の球補給装置を示す斜視図である。
【図３】図１の球補給装置に設けられた整列流路に注目した斜視図である。
【図４】詰まり防止部材に注目した斜視図である。
【図５】図４の詰まり防止部材を示す分解斜視図である。
【図６】整列流路内を流れる球の状態を示す説明図であり、排出側流路内であって詰まり防止部材の近傍で球が団子状に連なろうとした状態を示す。
【図７】整列流路内を流れる球の状態を示す説明図であり、排出側流路内であって球崩し部材の近傍で球が団子状に連なろうとした状態を示す。
【図８】整列流路内を流れる球の状態を示す説明図であり、排出側流路内であって球止め部材を操作し球止めピンを流路内に突入させた状態を示す。
【図９】詰まり防止部材の板片が揺動する様子を示す説明図である。
【図１０】詰まり防止部材の変形例を示す説明図であり、（ａ）〜（ｃ）は異なる大きさの板片の組み合わせバリエーションを示す。
【図１１】詰まり防止部材の変形例を示す説明図であり、（ａ）は円形の板片を示し、（ｂ）は長円形の板片を示し、（ｃ）は楕円形の板片を示し、（ｄ）は長方形の板片を示し、（ｅ）は長方形と三角形を組み合わせた形状の板片を示す。
【図１２】詰まり防止部材の別の変形例を示す分解斜視図である。
【図１３】詰まり防止部材のさらに別の変形例を示す斜視図である。
【発明を実施するための形態】
【００１９】
以下に、本発明の実施形態に係る球補給装置について説明する。
本実施形態の球補給装置１は、所謂補給シュートであり、図示しない複数の弾球遊技機（以下、単にぱちんこ機という）が群をなした遊技機群（以下、遊技機島という）３０への設置に適した構成である。具体的には、球補給装置１は、遊技機島３０の内部に配された、遊技球（以下、単に球という）を各ぱちんこ機に搬送する補給流路３２の一部を形成するものである。より詳細には、補給流路３２には、図１に示すように、遊技機島３０におけるぱちんこ機の並設方向に延伸した補給主流路（補給樋）３５と、その補給樋３５から各ぱちんこ機に向けて分岐した補給副流路３６があり、本実施形態の球補給装置１は、補給副流路３６の一部を構成する流路である。そして、本実施形態の球補給装置１は、１つの遊技機島３０において、各ぱちんこ機への球の分配を可能にするべく、ぱちんこ機と同数分設置されている。
【００２０】
本実施形態の球補給装置１は、その基本構造は公知のそれと同様である。すなわち、球補給装置１は、図２、３に示すように、外観がケース状の流路形成部材２を有し、その流路形成部材２に球を整列させながら流通する整列流路１１が備えられている。
【００２１】
整列流路１１は、主に流路の流れ方向に沿った流路側壁１４及び流路底壁１９で構成されており、重力の作用によって球を自然搬送できる構造である。すなわち、整列流路１１は、図３に示すように、球の流れ方向上流側の開口（導入口）１２から下流端側の開口（排出口）１３に渡って、流路底壁１９が水平方向を基準に若干の下り勾配で傾斜している。
【００２２】
また、本実施形態の球補給装置１においては、その流路の中途において球の流れ方向の水平成分を真逆に切り換える折返し部１５が備えられている。すなわち、整列流路１１では、導入口１２から導入された球が、流路底壁１９の傾斜に沿って折返し部１５に向けて下方に流れ（以下、折返し部１５までを導入側流路という）、折返し部１５を通過すると、当該折返し部１５に到達する直前の水平成分方向とは真逆の方向に方向転換して、排出口１３に向けて流れる（以下、折返し部１５から排出口１３までを排出側流路という）。
【００２３】
さらに、球補給装置１は、図２、３に示すように、公知のそれと同様、整列流路１１の中途において、球崩し部材５及び球止め部材６が設けられている。
球崩し部材５は、排出側流路の排出口１３近傍に取り付けられており、当該排出側流路の流れ方向に沿って延伸した規制部２０を有する。すなわち、球崩し部材５は、規制部２０よりも上方に乗り上がろうとする球を押さえ込んで、球が一定以上積み上がってしまうことを阻止する部分である。
球止め部材６は、排出側流路の流れ方向概ね中央に配され、当該流路内に退出入する球止めピン２９を有する。すなわち、球止め部材６は、球止めピン２９の流路に対する姿勢を変更することで、整列流路１１内の球の流通を規制することができる部分である。
【００２４】
そして、本実施形態では、上記した基本構造に加えて、特徴的構成たる詰まり防止部材３が備えられている。
詰まり防止部材３は、所謂「球均し部材」であり、整列流路１１内で起こり得る「球詰まり」を、所定の部材の揺動作用によって防止する部分である。そして、詰まり防止部材３は、図４に示すように、整列流路１１の中途であって排出側流路の流れ方向概ね中央に配されている。より詳細には、詰まり防止部材３は、流路形成部材２の上部に設けられた切欠き２８（図２、３）に嵌め込むようにして固定されている。そして、本実施形態では、この詰まり防止部材３が、複数（本実施形態では４つ）の板片２１ａ〜２１ｄと、それら複数の板片２１ａ〜２１ｄを軸支する軸部材２２と、部材間に一定の間隔を形成する複数（本実施形態では５つ）のスペーサ部材２３ａ〜２３ｅと、軸部材２２を支持する支持部材２５とよって構成されている。
【００２５】
板片２１ａ〜２１ｄは、いずれも金属製であり、同一の大きさで、且つ、同一の形状に成形されたものである。具体的には、板片２１ａ〜２１ｄは、一定以上の重さを備えた金属、例えば鉄鋼やステンレス鋼等が用いられており、図５に示すように、一定の厚みを有した薄板状で、且つ、正面視形状が概ねオーバル形状となるように加工されている。より具体的には、板片２１ａ〜２１ｄは、長軸方向に沿って幅が変化する卵形を呈している。そして、本実施形態では、板片２１ａ〜２１ｄの長軸方向一方の端部側（幅が狭い端部側）に、部材厚方向に貫通した軸孔４０が設けられている。つまり、軸孔４０は、各板片２１ａ〜２１ｄの中心及び重心からずれた位置に配されている。
【００２６】
軸部材２２は、断面形状が円形の棒状部材であり、その軸線長さが整列流路１１の幅よりも若干長く設定されている。
【００２７】
スペーサ部材２３ａ〜２３ｅは、いずれも樹脂製であり、外観が円形状を呈しており、一定の厚みを有した小片部材である。そして、これらのスペーサ部材２３ａ〜２３ｅには、部材厚方向に貫通した軸孔４１が設けられている。
【００２８】
支持部材２５は、外観が「コ」字状であり、中間壁４５と、その中間壁４５における対向する一対の辺から張り出した端部壁４６、４７とで構成されている。すなわち、端部壁４６、４７は、互いに対向した関係である。そして、その対向した端部壁４６、４７のそれぞれには、前記した軸部材２２を挿通可能な軸孔５０が設けられている。
なお、本実施形態では、中間壁４５の前記対向する一対の辺の間の距離（以下、幅という）は、前記した整列流路１１の幅より若干長く設定されている。
【００２９】
続いて、詰まり防止部材３の各部材の位置関係について説明する。
詰まり防止部材３は、前記したように、複数の板片２１ａ〜２１ｄを有し、それらを軸部材２２に対して、揺動可能に軸支させた構造である。具体的には、詰まり防止部材３は、前記したように、軸部材２２を支持する支持部材２５を有し、その支持部材２５に軸部材２２を支持させている。より詳細には、軸部材２２は、支持部材２５の軸孔５０に挿通されて軸支された配置となっている。
【００３０】
また、支持部材２５に軸支された軸部材２２には、４つの板片２１ａ〜２１ｄが挿着されている。そして、軸部材２２に挿着された板片２１ａ〜２１ｄ同士の間には、一定の間隔を形成するべく、スペーサ部材２３ｂ〜２３ｄが配されている。また同様に、本実施形態では、軸部材２２の軸線方向両端側の板片２１ａ、２１ｄと、支持部材２５との間にも、一定の間隔が形成されている。すなわち、板片２１ａ、２１ｄと支持部材２５の各間には、前記同様、１つのスペーサ部材２３ａ、２３ｅが配されている。
なお、スペーサ部材２３ａ〜２３ｅは、軸孔４１を介して、軸部材２２に挿着されている。
【００３１】
次に、本実施形態の球補給装置１における詰まり防止部材３の位置関係について説明する。
本実施形態の球補給装置１では、詰まり防止部材３を、前記したように、整列流路１１の排出側流路の流れ方向ほぼ中央に配している。そして、詰まり防止部材３は、その支持部材２４の端部壁４６、４７を、流路形成部材２に設けられた切欠き２８に係合させて固定させている。換言すれば、詰まり防止部材３は、各板片２１ａ〜２１ｄが排出側流路の流れ方向に沿って個々に揺動可能な配置となっている。
【００３２】
また、このようにして、流路形成部材２に固定された詰まり防止部材３は、各板片２１ａ〜２１ｄに重力を除いた他の外力等が作用しない状況においては、その長軸が鉛直方向に一致した状態となっている（通常状態）。そしてこの通常状態においては、各板片２１ａ〜２１ｄは、図６に示すように、当該長軸方向他方の端部たる下端と、排出側流路の底面との間隔ｐが、遊技球の直径の１倍超２倍未満程度の大きさとなっている。
【００３３】
続いて、本実施形態の球補給装置１の基本的機能について説明する。
本実施形態の球補給装置１は、主に、整列機能と、詰まり防止機能と、球止め機能を有する。
【００３４】
整列機能は、球補給装置１を通過する球を、排出口１３に至るまでに、流路の流れ方向に沿って１列に整列する機能である。
なお、本実施形態では、この機能を発揮させるべく、整列流路１１の流路幅を、球の直径程度としている。
【００３５】
詰まり防止機能は、整列機能を効果的に発揮するための補助機能である。具体的には、詰まり防止機能は、詰まり防止部材３や球崩し部材５の作用によって、整列流路１１を通過する球が、上方に向かって積み上がり、団子状に連なってしまう不具合を防止する機能である。例えば、図６に示すように、整列流路１１内であって、詰まり防止部材３近傍の位置で、球が団子状に積み重なろうとしている場合は、当該詰まり防止部材３の板片２１ａ〜２１ｄが揺動し、その球同士の連なりを崩す。また、図７に示すように、整列流路１１内であって、球崩し部材５近傍の位置で、球が団子状に積み重なろうとしている場合は、当該球崩し部材５の規制部２０がそれらの球を押さえつけ、団子状となってしまうことを阻止する。
【００３６】
球止め機能は、ぱちんこ機等のメンテナンスを行う作業者が、必要に応じて球止め部材６を操作して発揮させる機能であり、意図的にぱちんこ機への球の供給を停止することができる。すなわち、この球止め機能によれば、作業者によって球止め部材６が操作され、図８に示すように、球止めピン２９が整列流路１１内に突入した状態となれば、球の流通が阻止され、逆に球止めピン２９が整列流路１１内から退出した状態となれば、再び球が流通する。
【００３７】
続いて、本実施形態の球補給装置１の特徴的機能について説明する。
ところで、先にも説明したように、従来の「球均し部材」たる詰まり防止部材は、揺動動作が単純であったため、球の通過のタイミングや、揺動のタイミング等によって、揺動動作が球に阻止され、詰まり防止機能が十分に発揮できない場合があった。そこで、本実施形態では、前記したように、複数の板片２１ａ〜２１ｄを用いて揺動動作を複雑化し、球によってその揺動動作が阻止されない構成としている。
【００３８】
例えば、図６に示すように、整列流路１１内であって、詰まり防止部材３の上流側近傍で球が上方に向けて団子状に積み重なろうとすれば、その上方の球が当該詰まり防止部材３の板片２１ａ〜２１ｄに接触する。
ここで、ぱちんこ機に用いられる球の形状は球状を呈している。
また、４つの板片２１ａ〜２１ｄは、整列流路１１の幅方向に並列状に並べられている。
【００３９】
つまり、整列流路１１を流れる球が、その整列流路１１の幅方向に並列状に並べられた４つの板片２１ａ〜２１ｄに接触する場合、当然ながら、各板片２１ａ〜２１ｄにおける球の接触位置が異なってくる。具体的には、整列流路１１の幅方向中心側の板片２１ほど、球の中心あたりが接触し、整列流路１１の幅方向外側の板片２１ほど、球の外側あたりが接触する。すなわち、板片２１ａ〜２１ｄに接触する球は、整列流路１１の幅方向中心側ほど接触のタイミングが早く、逆に整列流路１１の幅方向外側は接触のタイミングが遅れる。その結果、本実施形態では、図９に示すように、各板片２１ａ〜２１ｄの揺動のタイミングが個々で異なり、同一の時点を見たときに、各々の姿勢や揺動方向等が異なる。
【００４０】
これにより、たとえいずれかの板片２１ａ〜２１ｄ（例えば板片２１ａとする）と、整列流路１１を通過する球とのタイミング等が合致して、その球がその板片２１ａの揺動動作を阻止してしまうような条件が揃うようなことがあったとしても、他の板片２１ｂ〜２１ｄが前記条件を満たすようなことはなく、当該他の板片２１ｂ〜２１ｄに揺動動作を維持させることができる。
【００４１】
また、本実施形態では、板片２１ａ〜２１ｄのそれぞれの間に、スペーサ部材２３が設けられ、軸部材の軸線方向に隣接する板片同士が密着することを防止しているため、当該隣接する板片２１ａ〜２１ｄ同士が同期的に揺動するおそれがない。さらに、このスペーサ部材２３によって、各板片は、軸部材の周方向に揺動すると共に、軸部材２２の軸線方向に揺れるような動作を行う。つまり、本実施形態では、各板片２１ａ〜２１ｄを立体的に動作させることができる。その結果、板片２１ａ〜２１ｄがより複雑な動作を行うため、より効果的に流路上に発生し得る球詰まりを防止することができる。
【００４２】
以上のように、本実施形態によれば、整列流路１１を通過する球が、全ての板片２１ａ〜２１ｄの揺動動作を止めてしまうようなことは起き得ず、整列流路１１内で球詰まりが発生する可能性は極めて低い。
【００４３】
上記実施形態では、４つの板片２１ａ〜２１ｄを、同一の大きさで、且つ、同一の形状のものを採用した構成を示したが、本発明はこれに限定されない。すなわち、板片のそれぞれが、異なる大きさであったり、また異なる形状のものであっても構わない。例えば、異なる大きさの板片３７を採用する場合は、図１０に示すように、大型板片３７ａと小型板片３７ｂを、軸部材２２の軸線方向に交互に配したものや（図１０（ａ））、小型板片３７ｂ（大型板片３７ａ）を軸部材２２の軸線方向中心側に配すると共に、大型板片３７ａ（小型板片３７ｂ）を軸部材２２の軸線方向外側に配したものや（図１０（ｂ））、さらに軸部材２２の軸線方向に並べられた全ての板片３７ｃ〜３７ｆの大きさが異なるもの（図１０（ｃ））等が挙げられる。
また、上記実施形態の板片２１と異なる形状の板片としては、図１１に示すように、円形の板片３８ａ（ａ）、長円形の板片３８ｂ（ｂ）、楕円形の板片３８ｃ（ｃ）、長方形の板片３８ｄ（ｄ）、長方形又は正方形と三角形を組み合わせた形状の板片３８ｅ（ｅ）等が挙げられる。
【００４４】
上記実施形態では、４つの板片２１ａ〜２１ｄを備えた構成を示したが、本発明はこれに限定されず、２〜３つの板片を備えた構成や、５以上の板片を備えた構成であっても構わない。
【００４５】
また、上記実施形態では、各板片２１を同一形状として、当該板片２１の同一位置に軸孔４０を設けた構成を示したが、本発明はそれに限定されず、図１２に示すように、軸孔４０を、各板片２１の異なる位置に設けても構わない。
【００４６】
上記実施形態では、全ての板片２１を、所定の金属で成形したものを採用した構成を示したが、本発明はこれに限定されず、一部の板片を金属で成形し、残部の板片を樹脂で成形したものを採用した詰まり防止部材５１であっても構わない。言い換えれば、複数の板片のうちの、一部を比重の大きい金属等の部材を採用し、残部を比重の小さい樹脂等の部材を採用した構成である。そして、これらの板片を所定の配置で並べて使用する。具体的には、比重の小さい板片を、比重の大きい板片で挟持するような配置にする。こうすることで、比重の大きい板片の揺動動作が活発となり、板片全体をより不規則に揺動させることができる。
なお、好適に前記作用効果を期待するべく、両者の比重差を、３〜７程度、あるいは６程度とすることが好ましい。
【００４７】
またさらに、図１３に示すように、比重の小さい板片５２の厚み（軸部材２２に支持された状態を基準とした場合のその軸線方向長さ）を、比重の大きい板片５３の厚みよりも大きくすることで、より高い「球均し」の効果を得ることができる。
【００４８】
上記実施形態では、板片２１の中心からずれた位置に軸孔４０を設けた構成を示したが、本発明はこれに限定されず、板片２１の中心に軸孔４０を設けた構成であっても構わない。
【００４９】
上記実施形態では、詰まり防止部材３が支持部材２５を有し、支持部材２５を介して、球補給装置１の流路形成部材２に固定した構成を示したが、本発明はこれに限定されず、支持部材２５を用いることなく、板片２１等を流路形成部材２に固定する構成であっても構わない。例えば、流路形成部材に、切欠きの替わりに軸支持孔を設け、その軸支持孔に軸部材２２を軸支させる構成である。
【００５０】
上記実施形態では、板片２１同士の間に、スペーサ部材２３を介在させて、板片２１同士の間に一定の間隔を形成する構造を採用したが、本発明はこれに限定されない。すなわち、スペーサ部材２３を用いることなく、複数の板片２１を重ね合わせて使用しても構わない。
【符号の説明】
【００５１】
１    球補給装置
２    流路形成部材
３    詰まり防止部材
１１    整列流路
１２    導入口
１３    排出口
２１    板片
２２    軸部材
２３    スペーサ部材
２４    支持部材
２８    切欠き
３０    遊技機島
３６    補給副流路
４０    軸孔
【図１】
2015016092.tif 000003
【図２】
2015016092.tif 000004
【図３】
2015016092.tif 000005
【図４】
2015016092.tif 000006
【図５】
2015016092.tif 000007
【図６】
2015016092.tif 000008
【図７】
2015016092.tif 000009
【図８】
2015016092.tif 000010
【図９】
2015016092.tif 000011
【図１０】
2015016092.tif 000012
【図１１】
2015016092.tif 000013
【図１２】
2015016092.tif 000014
【図１３】
2015016092.tif 000015